(57)【要約】【課題】  ユーザの細かいコンテンツ格納要求に応えることが可能な情報処理装置およびコンテンツ記録方法を提供する。【解決手段】  コンテンツ転送指示部１ｄ３は、メモリカード４に格納する複数のコンテンツの中で特定の特性を有するコンテンツが占める割合を示したコンテンツ抽出条件をユーザインターフェイス１ｃが受け付けると、受け付けたコンテンツ抽出条件をコンテンツ転送条件情報記録部１ｄ１に格納する。コンテンツ転送指示部１ｄ３は、コンテンツ抽出条件に合うように、メモリ２ａからコンテンツを抽出し、メモリカード接続部１ａに、その抽出したコンテンツをメモリカード４に記録させる。【選択図】      図７
2005285265.tif 000002
【特許請求の範囲】
【請求項１】
コンテンツ格納部に格納された複数種類のコンテンツの一部を携帯端末の記録媒体に記録する情報処理装置であって、
ユーザにより設定された、前記記録媒体に記録するコンテンツの量、および、コンテンツの各種類毎の割合を示すコンテンツ抽出条件を格納する抽出条件格納部と、
前記抽出条件格納部に格納されたコンテンツ抽出条件に合うように、前記コンテンツ格納部に格納された複数のコンテンツの中からコンテンツを抽出するコンテンツ抽出部と、
前記コンテンツ抽出部によって抽出されたコンテンツを前記携帯端末の記録媒体に記録する記録部とを含む情報処理装置。
【請求項２】
請求項１に記載の情報処理装置において、
前記コンテンツの種類は、前記コンテンツが音楽の場合、音楽のテンポ、音楽のにぎやかさ、音楽の重低音度、音楽の聴取回数、歌手の性別または歌手の人数によって分類され、前記コンテンツが写真の場合、写真に写っている人とユーザとの親密度の程度または写真の明るさによって分類される、情報処理装置。
【請求項３】
コンテンツ格納部に格納された複数のコンテンツの一部を携帯端末の記録媒体に記録する情報処理装置であって、
周囲の環境を示す環境情報を取得する環境取得部と、
前記コンテンツ格納部に格納された複数のコンテンツの中から前記環境取得部によって取得された環境情報に基づいてコンテンツを抽出するコンテンツ抽出部と、
前記コンテンツ抽出部によって抽出されたコンテンツを前記携帯端末の記録媒体に記録する記録部とを含む情報処理装置。
【請求項４】
請求項３に記載の情報処理装置において、
前記環境取得部は、前記環境情報として、気象の情報を取得する、情報処理装置。
【請求項５】
コンテンツ格納部に格納された複数のコンテンツの一部を携帯端末の記録媒体に記録する情報処理装置であって、
前記携帯端末の記録媒体に予め記録されているコンテンツの種類を検出する種類検出部と、
前記コンテンツ格納部に格納された複数のコンテンツの中から前記種類検出部によって検出された種類に基づいてコンテンツを抽出するコンテンツ抽出部と、
前記コンテンツ抽出部によって抽出されたコンテンツを前記携帯端末の記録媒体に記録する記録部とを含む情報処理装置。
【請求項６】
請求項５に記載の情報処理装置において、
前記携帯端末の記録媒体に記録されているコンテンツを抽出した際に用いられた過去のコンテンツ抽出条件を格納しているコンテンツ抽出条件格納部が、前記携帯端末の記録媒体または前記情報処理装置に含まれ、
前記コンテンツ抽出条件格納部に格納されている過去のコンテンツ抽出条件を検出するコンテンツ抽出条件検出部をさらに含み、
前記携帯端末の記録媒体には、該携帯端末の記録媒体に記録されているコンテンツごとの視聴状態を示す視聴状態情報がさらに記録されており、
前記種類検出部は、さらに、前記視聴状態情報を検出し、
前記コンテンツ抽出部は、前記種類検出部によって検出された視聴状態情報と前記コンテンツ抽出条件検出部によって検出されたコンテンツ抽出条件とを比較し、その比較結果に基づいて、前記種類検出部によって検出された種類を変更し、その変更された種類に基づいて、前記コンテンツ格納部に格納された複数のコンテンツの中からコンテンツを抽出する、情報処理装置。
【請求項７】
コンテンツ格納部に格納された複数のコンテンツの一部を携帯端末の記録媒体に記録する情報処理装置であって、
ユーザにより設定されたコンテンツ削除条件を格納する削除条件格納部と、
前記携帯端末の記録媒体に予め記録されているコンテンツの中から前記削除条件格納部に格納されたコンテンツ削除条件に基づいてコンテンツを削除するコンテンツ削除部と、
前記コンテンツ削除部によってコンテンツが削除された携帯端末の記録媒体に前記コンテンツ格納部に格納された複数のコンテンツの一部を記録するコンテンツ記録部とを含む情報処理装置。
【請求項８】
請求項７に記載の情報処理装置において、
前記コンテンツ削除条件は、コンテンツの寿命、コンテンツの記録日からの日数またはコンテンツ入替率である、情報処理装置。
【請求項９】
請求項７または８に記載の情報処理装置において、
前記コンテンツ記録部は、
前記携帯端末の記録媒体に記録する複数種類のコンテンツ全体に対する該複数種類のコンテンツそれぞれの割合を示したコンテンツ抽出条件を格納する抽出条件格納部と、
前記抽出条件格納部に格納されたコンテンツ抽出条件に合うように、前記コンテンツ格納部に格納された複数のコンテンツの中からコンテンツを抽出するコンテンツ抽出部と、
前記コンテンツ抽出部によって抽出されたコンテンツを前記携帯端末の記録媒体に記録する記録部とを含む、情報処理装置。
【請求項１０】
請求項７または８に記載の情報処理装置において、
前記コンテンツ記録部は、
周囲の環境を示す環境情報を取得する環境取得部と、
前記コンテンツ格納部に格納された複数のコンテンツの中から前記環境取得部によって取得された環境情報に基づいてコンテンツを抽出するコンテンツ抽出部と、
前記コンテンツ抽出部によって抽出されたコンテンツを前記携帯端末の記録媒体に記録する記録部を含む、情報処理装置。
【請求項１１】
請求項７または８に記載の情報処理装置において、
前記コンテンツ記録部は、
前記携帯端末の記録媒体に予め記録されているコンテンツの種類を検出する種類検出部と、
前記コンテンツ格納部に格納された複数のコンテンツの中から前記種類検出部によって検出された種類に基づいてコンテンツを抽出するコンテンツ抽出部と、
前記コンテンツ抽出部によって抽出されたコンテンツを前記携帯端末の記録媒体に記録する記録部とを含む、情報処理装置。
【請求項１２】
コンテンツ格納部に格納された複数種類のコンテンツの一部を携帯端末の記録媒体に記録する情報処理装置が行うコンテンツ記録方法であって、
ユーザにより設定された、前記記録媒体に記録するコンテンツの量、および、コンテンツの各種類毎の割合を示すコンテンツ抽出条件を抽出条件格納部に格納する抽出条件格納ステップと、
前記抽出条件格納部に格納されたコンテンツ抽出条件に合うように、前記コンテンツ格納部に格納された複数のコンテンツの中からコンテンツを抽出するコンテンツ抽出ステップと、
前記コンテンツ抽出ステップで抽出されたコンテンツを前記携帯端末の記録媒体に記録する記録ステップとを含むコンテンツ記録方法。
【請求項１３】
請求項１２に記載のコンテンツ記録方法において、
前記コンテンツの種類は、前記コンテンツが音楽の場合、音楽のテンポ、音楽のにぎやかさ、音楽の重低音度、音楽の聴取回数、歌手の性別または歌手の人数によって分類され、前記コンテンツが写真の場合、写真に写っている人とユーザとの親密度の程度または写真の明るさによって分類される、コンテンツ記録方法。
【請求項１４】
コンテンツ格納部に格納された複数のコンテンツの一部を携帯端末の記録媒体に記録する情報処理装置が行うコンテンツ記録方法であって、
周囲の環境を示す環境情報を取得する環境取得ステップと、
前記コンテンツ格納部に格納された複数のコンテンツの中から前記環境取得ステップで取得された環境情報に基づいてコンテンツを抽出するコンテンツ抽出ステップと、
前記コンテンツ抽出ステップで抽出されたコンテンツを前記携帯端末の記録媒体に記録する記録ステップとを含むコンテンツ記録方法。
【請求項１５】
請求項１４に記載のコンテンツ記録方法において、
前記環境取得ステップは、前記環境情報として、気象の情報を取得する、コンテンツ記録方法。
【請求項１６】
コンテンツ格納部に格納された複数のコンテンツの一部を携帯端末の記録媒体に記録する情報処理装置が行うコンテンツ記録方法であって、
前記携帯端末の記録媒体に予め記録されているコンテンツの種類を検出する種類検出ステップと、
前記コンテンツ格納部に格納された複数のコンテンツの中から前記種類検出ステップで検出された種類に基づいてコンテンツを抽出するコンテンツ抽出ステップと、
前記コンテンツ抽出ステップで抽出されたコンテンツを前記携帯端末の記録媒体に記録する記録ステップとを含むコンテンツ記録方法。
【請求項１７】
請求項１６に記載のコンテンツ記録方法において、
前記携帯端末の記録媒体に記録されているコンテンツを抽出した際に用いられた過去のコンテンツ抽出条件を格納しているコンテンツ抽出条件格納部が、前記携帯端末の記録媒体または前記情報処理装置に含まれ、
前記コンテンツ抽出条件格納部に格納されている過去のコンテンツ抽出条件を検出するコンテンツ抽出条件検出ステップをさらに含み、
前記携帯端末の記録媒体には、該携帯端末の記録媒体に記録されているコンテンツごとの視聴状態を示す視聴状態情報がさらに記録されており、
前記種類検出ステップは、さらに、前記視聴状態情報を検出し、
前記コンテンツ抽出ステップは、前記種類検出ステップで検出された視聴状態情報と前記コンテンツ抽出条件検出ステップで検出されたコンテンツ抽出条件とを比較し、その比較結果に基づいて、前記種類検出ステップで検出された種類を変更し、その変更された種類に基づいて、前記コンテンツ格納部に格納された複数のコンテンツの中からコンテンツを抽出する、コンテンツ記録方法。
【請求項１８】
コンテンツ格納部に格納された複数のコンテンツの一部を携帯端末の記録媒体に記録する情報処理装置が行うコンテンツ記録方法であって、
ユーザにより設定されたコンテンツ削除条件を削除条件格納部に格納する削除条件格納ステップと、
前記携帯端末の記録媒体に予め記録されているコンテンツの中から前記削除条件格納部に格納されたコンテンツ削除条件に基づいてコンテンツを削除するコンテンツ削除ステップと、
前記コンテンツ削除ステップでコンテンツが削除された携帯端末の記録媒体に前記コンテンツ格納部に格納された複数のコンテンツの一部を記録するコンテンツ記録ステップとを含むコンテンツ記録方法。
【請求項１９】
請求項１８に記載のコンテンツ記録方法において、
前記コンテンツ削除条件は、コンテンツの寿命、コンテンツの記録日からの日数またはコンテンツ入替率である、コンテンツ記録方法。
【請求項２０】
請求項１８または１９に記載のコンテンツ記録方法において、
前記コンテンツ記録ステップは、
ユーザにより設定された、前記記録媒体に記録するコンテンツの量、および、コンテンツの各種類毎の割合を示すコンテンツ抽出条件を抽出条件格納部に格納する抽出条件格納ステップと、
前記抽出条件格納部に格納されたコンテンツ抽出条件に合うように、前記コンテンツ格納部に格納された複数のコンテンツの中からコンテンツを抽出するコンテンツ抽出ステップと、
前記コンテンツ抽出ステップで抽出されたコンテンツを前記携帯端末の記録媒体に記録する記録ステップとを含む、コンテンツ記録方法。
【請求項２１】
請求項１８または１９に記載のコンテンツ記録方法において、
前記コンテンツ記録ステップは、
周囲の環境を示す環境情報を取得する環境取得ステップと、
前記コンテンツ格納部に格納された複数のコンテンツの中から前記環境取得ステップで取得された環境情報に基づいてコンテンツを抽出するコンテンツ抽出ステップと、
前記コンテンツ抽出ステップで抽出されたコンテンツを前記携帯端末の記録媒体に記録する記録ステップとを含む、コンテンツ記録方法。
【請求項２２】
請求項１８または１９に記載のコンテンツ記録方法において、
前記コンテンツ記録ステップは、
前記携帯端末の記録媒体に予め記録されているコンテンツの種類を検出する種類検出ステップと、
前記コンテンツ格納部に格納された複数のコンテンツの中から前記種類検出ステップで検出された種類に基づいてコンテンツを抽出するコンテンツ抽出ステップと、
前記コンテンツ抽出ステップで抽出されたコンテンツを前記携帯端末の記録媒体に記録する記録ステップとを含む、コンテンツ記録方法。
【請求項２３】
コンテンツ格納部に格納された複数種類のコンテンツの一部を記録部によって携帯端末の記録媒体に記録させるコンテンツ記録処理をコンピュータに実行させるプログラムであって、
ユーザにより設定された、前記記録媒体に記録するコンテンツの量、および、コンテンツの各種類毎の割合を示すコンテンツ抽出条件を抽出条件格納部に格納する抽出条件格納処理と、
前記抽出条件格納部に格納されたコンテンツ抽出条件に合うように、前記コンテンツ格納部に格納された複数のコンテンツの中からコンテンツを抽出するコンテンツ抽出処理と、
前記記録部に前記コンテンツ抽出処理によって抽出されたコンテンツを前記携帯端末の記録媒体に記録させる記録処理と、を含むコンテンツ記録処理をコンピュータに実行させるプログラム。
【請求項２４】
コンテンツ格納部に格納された複数のコンテンツの一部を記録部によって携帯端末の記録媒体に記録させるコンテンツ記録処理をコンピュータに実行させるプログラムであって、
環境取得部に周囲の環境を示す環境情報を取得させる環境取得処理と、
前記コンテンツ格納部に格納された複数のコンテンツの中から前記環境取得処理によって取得された環境情報に基づいてコンテンツを抽出するコンテンツ抽出処理と、
前記記録部に前記コンテンツ抽出処理によって抽出されたコンテンツを前記携帯端末の記録媒体に記録させる記録処理と、を含むコンテンツ記録処理をコンピュータに実行させるプログラム。
【請求項２５】
コンテンツ格納部に格納された複数のコンテンツの一部を記録部によって携帯端末の記録媒体に記録させるコンテンツ記録処理をコンピュータに実行させるプログラムであって、
前記携帯端末の記録媒体に予め記録されているコンテンツの種類を種類検出部に検出させる種類検出処理と、
前記コンテンツ格納部に格納された複数のコンテンツの中から前記種類検出処理によって検出された種類に基づいてコンテンツを抽出するコンテンツ抽出処理と、
前記記録部に前記コンテンツ抽出処理によって抽出されたコンテンツを前記携帯端末の記録媒体に記録させる記録処理と、を含むコンテンツ記録処理をコンピュータに実行させるプログラム。
【請求項２６】
コンテンツ格納部に格納された複数のコンテンツの一部を記録部によって携帯端末の記録媒体に記録させるコンテンツ記録処理をコンピュータに実行させるプログラムであって、
ユーザにより設定されたコンテンツ削除条件を削除条件格納部に格納する削除条件格納処理と、
削除部に前記携帯端末の記録媒体に予め記録されているコンテンツの中から前記削除条件格納部に格納されたコンテンツ削除条件に基づいてコンテンツを削除させるコンテンツ削除部と、
前記記録部に前記コンテンツ削除処理によってコンテンツが削除された携帯端末の記録媒体に前記コンテンツ格納部に格納された複数のコンテンツの一部を記録させるコンテンツ記録処理とを含むコンテンツ記録処理をコンピュータに実行させるプログラム。
【請求項２７】
請求項２３ないし２６のいずれか１項に記載のプログラムが記録されたコンピュータによって読み取り可能な記録媒体。
【発明の詳細な説明】
【技術分野】
【０００１】
本発明は、情報処理装置、コンテンツ記録方法、プログラムおよび記録媒体に関し、特には、複数のコンテンツの中から選択されたコンテンツを記録媒体に記録する情報処理装置、コンテンツ記録方法、プログラムおよび記録媒体に関する。
【背景技術】
【０００２】
近年、パーソナルコンピュータ（以下「ＰＣ」と称する。）またはＤＶＤ（Digital Versatile Disk）レコーダーといった大容量のメモリを備えたホームサーバの普及が進んでいる。ホームサーバは、映像、音楽または静止画などの情報（コンテンツ）を大量に溜め込むことができる。一方、コンテンツを携帯できる携帯端末のメモリー容量は、ホームサーバのメモリー容量より小さい。このため、携帯端末はホームサーバに格納されたコンテンツの一部しか格納できない。
【０００３】
例えば、携帯端末のユーザが日々の通勤時等の移動時に携帯端末を用いてホームサーバに格納されたコンテンツを視聴する場合、携帯端末のユーザは、携帯端末に格納されたコンテンツを頻繁に入れ替えないと、毎日同じコンテンツを視聴することになってしまう。
【０００４】
携帯端末のユーザは、携帯端末に格納されたコンテンツを入れ替える際、ホームサーバに格納されているコンテンツの中から視聴したいコンテンツを選択し、選択したコンテンツを携帯端末に格納するという煩わしい作業を行わなければならなかった。
【０００５】
特許文献１（特開２００３−７７２１４号公報）には、携帯端末に書き込まれたコンテンツを他のコンテンツに書き換える書換え作業を容易にすることが可能な情報処理装置が記載されている。
【０００６】
具体的には、携帯端末用の記録媒体にコンテンツを格納する際、まず、携帯端末用の記録媒体に格納されていたすべてのコンテンツを携帯端末用の記録媒体から一旦削除し、その後、複数のコンテンツを格納しているＰＣ等の格納部からユーザによって予め設定された所定の条件に対応するコンテンツを抽出し、その抽出したコンテンツを携帯端末用の記録媒体に記録する情報処理装置が記載されている。
【０００７】
特許文献１に記載の情報処理装置は、所定の条件として、最近聞いた曲、チェックアウト回数の少ない曲、お気に入りのプレイリストの曲、曲のランダム選択、ジャンルの指定またはプレイリストの指定が用いられる。
【特許文献１】特開２００３−７７２１４号公報
【発明の開示】
【発明が解決しようとする課題】
【０００８】
しかしながら、特許文献１に記載の情報処理装置で用いられているコンテンツ抽出条件では、ホームサーバに格納されている大量のコンテンツの中から利用者の意図を十分に反映するようにコンテンツを抽出することが困難な場合が生じる可能性がある。
【０００９】
例えば、特許文献１に記載の情報処理装置で用いられているコンテンツ抽出条件では、携帯端末の記録媒体に記録する複数種類のコンテンツ全体に対する該複数種類のコンテンツそれぞれの割合を設定したいというユーザの意図を十分に反映することは困難である。
【００１０】
また、特許文献１に記載の情報処理装置で用いられているコンテンツ抽出条件では、携帯端末の記録媒体に記録されるコンテンツを天候等の外的環境に応じて自動的に変化させたいというユーザの意図を十分に反映することは困難である。
【００１１】
また、特許文献１に記載の情報処理装置で用いられているコンテンツ抽出条件では、携帯端末の記録媒体に記録されるコンテンツを既に携帯端末用の記録媒体に格納されているコンテンツの種類（例えば、ジャンル）の割合を維持するようにしたいというユーザの意図を十分に反映することは困難となる可能性がある。
【００１２】
また、特許文献１に記載の情報処理装置は、携帯端末用の記録媒体にコンテンツを格納する際、携帯端末用の記録媒体に格納されていたすべてのコンテンツを携帯端末用の記録媒体から一旦消去し、その後、携帯端末用の記録媒体に所定の条件に対応するコンテンツを格納するので、例えば、未視聴のコンテンツが消去されてしまう可能性が高い。
【００１３】
また、記録媒体にコンテンツが格納されるタイミングと記録媒体に格納されたコンテンツが視聴されるタイミングとは時間的にずれているため、ユーザが記録媒体に格納されたコンテンツを視聴する際、コンテンツを記録媒体に格納するときに選んだコンテンツとは異なるコンテンツを聞きたくなる場合が発生する可能性がある。
【００１４】
特許文献１に記載の情報処理装置では、ユーザがコンテンツを格納するときに意図していたコンテンツしか携帯端末用の記録媒体に格納できない。したがって、特許文献１に記載の情報処理装置では、ユーザが記録媒体に格納されたコンテンツを視聴する際、コンテンツを記録媒体に格納するときに選んだコンテンツとは異なるコンテンツを聞きたくなるという要求に十分に応えることはできなかった。
【００１５】
本発明の目的は、ユーザの細かいコンテンツ格納要求に応えることが可能な情報処理装置およびコンテンツ記録方法を提供することである。
【課題を解決するための手段】
【００１６】
上記の目的を達成するために、本発明の情報処理装置は、コンテンツ格納部に格納された複数種類のコンテンツの一部を携帯端末の記録媒体に記録する情報処理装置であって、ユーザにより設定された、前記記録媒体に記録するコンテンツの量、および、コンテンツの各種類毎の割合を示すコンテンツ抽出条件を格納する抽出条件格納部と、前記抽出条件格納部に格納されたコンテンツ抽出条件に合うように、前記コンテンツ格納部に格納された複数のコンテンツの中からコンテンツを抽出するコンテンツ抽出部と、前記コンテンツ抽出部によって抽出されたコンテンツを前記携帯端末の記録媒体に記録する記録部とを含む。
【００１７】
また、本発明のコンテンツ記録方法は、コンテンツ格納部に格納された複数種類のコンテンツの一部を携帯端末の記録媒体に記録する情報処理装置が行うコンテンツ記録方法であって、ユーザにより設定された、前記記録媒体に記録するコンテンツの量、および、コンテンツの各種類毎の割合を示すコンテンツ抽出条件を抽出条件格納部に格納する抽出条件格納ステップと、前記抽出条件格納部に格納されたコンテンツ抽出条件に合うように、前記コンテンツ格納部に格納された複数のコンテンツの中からコンテンツを抽出するコンテンツ抽出ステップと、前記コンテンツ抽出ステップで抽出されたコンテンツを前記携帯端末の記録媒体に記録する記録ステップとを含む。
【００１８】
上記の発明によれば、ユーザによって設定された記録媒体に記録するコンテンツの量およびコンテンツの各種類毎の割合に合うように、コンテンツ格納部に格納された複数のコンテンツの中から抽出されたコンテンツが携帯端末の記録媒体に記録される。このため、携帯端末の記録媒体に記録するコンテンツの各種類毎の割合を設定したいというユーザの細かいコンテンツ格納要求に応えることが可能となる。
【００１９】
また、前記コンテンツの種類は、前記コンテンツが音楽の場合、音楽のテンポ、音楽のにぎやかさ、音楽の重低音度、音楽の聴取回数、歌手の性別または歌手の人数によって分類され、前記コンテンツが写真の場合、写真に写っている人とユーザとの親密度の程度または写真の明るさによって分類されることが望ましい。
【００２０】
また、本発明の情報処理装置は、コンテンツ格納部に格納された複数のコンテンツの一部を携帯端末の記録媒体に記録する情報処理装置であって、周囲の環境を示す環境情報を取得する環境取得部と、前記コンテンツ格納部に格納された複数のコンテンツの中から前記環境取得部によって取得された環境情報に基づいてコンテンツを抽出するコンテンツ抽出部と、前記コンテンツ抽出部によって抽出されたコンテンツを前記携帯端末の記録媒体に記録する記録部とを含む。
【００２１】
また、本発明のコンテンツ記録方法は、コンテンツ格納部に格納された複数のコンテンツの一部を携帯端末の記録媒体に記録する情報処理装置が行うコンテンツ記録方法であって、周囲の環境を示す環境情報を取得する環境取得ステップと、前記コンテンツ格納部に格納された複数のコンテンツの中から前記環境取得ステップで取得された環境情報に基づいてコンテンツを抽出するコンテンツ抽出ステップと、前記コンテンツ抽出ステップで抽出されたコンテンツを前記携帯端末の記録媒体に記録する記録ステップとを含む。
【００２２】
上記の発明によれば、コンテンツ格納部に格納された複数のコンテンツの中から周囲の環境に基づいて抽出されたコンテンツが携帯端末の記録媒体に記録される。このため、周囲の環境の変化に応じて携帯端末の記録媒体に記録されるコンテンツを変更したいというユーザの細かいコンテンツ格納要求に応えることが可能となる。
【００２３】
また、前記環境情報は、気象の情報であることが望ましい。
【００２４】
また、本発明の情報処理装置は、コンテンツ格納部に格納された複数のコンテンツの一部を携帯端末の記録媒体に記録する情報処理装置であって、前記携帯端末の記録媒体に予め記録されているコンテンツの種類を検出する種類検出部と、前記コンテンツ格納部に格納された複数のコンテンツの中から前記種類検出部によって検出された種類に基づいてコンテンツを抽出するコンテンツ抽出部と、前記コンテンツ抽出部によって抽出されたコンテンツを前記携帯端末の記録媒体に記録する記録部とを含む。
【００２５】
また、本発明のコンテンツ記録方法は、コンテンツ格納部に格納された複数のコンテンツの一部を携帯端末の記録媒体に記録する情報処理装置が行うコンテンツ記録方法であって、前記携帯端末の記録媒体に予め記録されているコンテンツの種類を検出する種類検出ステップと、前記コンテンツ格納部に格納された複数のコンテンツの中から前記種類検出ステップで検出された種類に基づいてコンテンツを抽出するコンテンツ抽出ステップと、前記コンテンツ抽出ステップで抽出されたコンテンツを前記携帯端末の記録媒体に記録する記録ステップとを含む。
【００２６】
上記の発明によれば、コンテンツ格納部に格納された複数のコンテンツの中から携帯端末の記録媒体に予め記録されているコンテンツの種類に基づいて抽出されたコンテンツが携帯端末の記録媒体に記録される。このため、例えば、携帯端末の記録媒体に予め記録されているコンテンツの種類の割合を維持しながら、携帯端末の記録媒体に記録するコンテンツを変化させたいというユーザの細かいコンテンツ格納要求に応えることが可能となる。
【００２７】
また、上記情報処理装置において、前記携帯端末の記録媒体に記録されているコンテンツを抽出した際に用いられた過去のコンテンツ抽出条件を格納しているコンテンツ抽出条件格納部が、前記携帯端末の記録媒体または前記情報処理装置に含まれ、前記コンテンツ抽出条件格納部に格納されている過去のコンテンツ抽出条件を検出するコンテンツ抽出条件検出部をさらに含み、前記携帯端末の記録媒体には、該携帯端末の記録媒体に記録されているコンテンツごとの視聴状態を示す視聴状態情報がさらに記録されており、前記種類検出部は、さらに、前記視聴状態情報を検出し、前記コンテンツ抽出部は、前記種類検出部によって検出された視聴状態情報と前記コンテンツ抽出条件検出部によって検出されたコンテンツ抽出条件とを比較し、その比較結果に基づいて前記種類検出部によって検出された種類を変更し、その変更された種類に基づいて、前記コンテンツ格納部に格納された複数のコンテンツの中からコンテンツを抽出することが望ましい。
【００２８】
また、上記コンテンツ記録方法において、前記携帯端末の記録媒体に記録されているコンテンツを抽出した際に用いられた過去のコンテンツ抽出条件を格納しているコンテンツ抽出条件格納部が、前記携帯端末の記録媒体または前記情報処理装置に含まれ、前記コンテンツ抽出条件格納部に格納されている過去のコンテンツ抽出条件を検出するコンテンツ抽出条件検出ステップをさらに含み、前記携帯端末の記録媒体には、該携帯端末の記録媒体に記録されているコンテンツごとの視聴状態を示す視聴状態情報がさらに記録されており、前記種類検出ステップは、さらに、前記視聴状態情報を検出し、前記コンテンツ抽出ステップは、前記種類検出ステップで検出された視聴状態情報と前記コンテンツ抽出条件検出ステップで検出されたコンテンツ抽出条件とを比較し、その比較結果に基づいて前記種類検出ステップで検出された種類を変更し、その変更された種類に基づいて、前記コンテンツ格納部に格納された複数のコンテンツの中からコンテンツを抽出することが望ましい。
【００２９】
上記の発明によれば、実際の視聴状況に基づいて、携帯端末の記録媒体に記録されるコンテンツが変更するので、ユーザにお好みに合ったコンテンツが携帯端末の記録媒体に記録される易くなる。
【００３０】
また、本発明の情報処理装置は、コンテンツ格納部に格納された複数のコンテンツの一部を携帯端末の記録媒体に記録する情報処理装置であって、ユーザにより設定されたコンテンツ削除条件を格納する削除条件格納部と、前記携帯端末の記録媒体に予め記録されているコンテンツの中から前記削除条件格納部に格納されたコンテンツ削除条件に基づいてコンテンツを削除するコンテンツ削除部と、前記コンテンツ削除部によってコンテンツが削除された携帯端末の記録媒体に前記コンテンツ格納部に格納された複数のコンテンツの一部を記録するコンテンツ記録部とを含む。
【００３１】
また、本発明のコンテンツ記録方法は、コンテンツ格納部に格納された複数のコンテンツの一部を携帯端末の記録媒体に記録する情報処理装置が行うコンテンツ記録方法であって、ユーザにより設定されたコンテンツ削除条件を削除条件格納部に格納する削除条件格納ステップと、前記携帯端末の記録媒体に予め記録されているコンテンツの中から前記削除条件格納部に格納されたコンテンツ削除条件に基づいてコンテンツを削除するコンテンツ削除ステップと、前記コンテンツ削除ステップでコンテンツが削除された携帯端末の記録媒体に前記コンテンツ格納部に格納された複数のコンテンツの一部を記録するコンテンツ記録ステップとを含む。
【００３２】
上記の発明によれば、携帯端末の記録媒体に予め記録されているコンテンツの中からコンテンツ削除条件に基づいてコンテンツが選択的に削除され、コンテンツが選択的に削除された携帯端末の記録媒体にコンテンツ格納部に格納された複数のコンテンツの一部が記録される。このため、携帯端末の記録媒体に新たなコンテンツを記録する際、既に携帯端末の記録媒体に記録されているコンテンツの中で携帯端末の記録媒体に残しておきたいコンテンツを携帯端末の記録媒体に残しながら新たなコンテンツを記録したいというユーザの細かいコンテンツ格納要求に応えることが可能なる。
【００３３】
また、前記コンテンツ削除条件は、コンテンツの寿命、コンテンツの記録日からの日数またはコンテンツ入替率であることが望ましい。
【００３４】
また、上記情報処理装置において、前記コンテンツ記録部は、ユーザにより設定された、前記記録媒体に記録するコンテンツの量、および、コンテンツの各種類毎の割合を示すコンテンツ抽出条件を格納する抽出条件格納部と、前記抽出条件格納部に格納されたコンテンツ抽出条件に合うように、前記コンテンツ格納部に格納された複数のコンテンツの中からコンテンツを抽出するコンテンツ抽出部と、前記コンテンツ抽出部によって抽出されたコンテンツを前記携帯端末の記録媒体に記録する記録部とを含むことが望ましい。
【００３５】
また、上記コンテンツ記録方法において、前記コンテンツ記録ステップは、ユーザにより設定された、前記記録媒体に記録するコンテンツの量、および、コンテンツの各種類毎の割合を示すコンテンツ抽出条件を抽出条件格納部に格納する抽出条件格納ステップと、前記抽出条件格納部に格納されたコンテンツ抽出条件に合うように、前記コンテンツ格納部に格納された複数のコンテンツの中からコンテンツを抽出するコンテンツ抽出ステップと、前記コンテンツ抽出ステップで抽出されたコンテンツを前記携帯端末の記録媒体に記録する記録ステップとを含むことが望ましい。
【００３６】
上記の発明によれば、上記の効果に加えて、携帯端末の記録媒体に記録するコンテンツの各種類毎の割合を設定したいというユーザの細かいコンテンツ格納要求に応えることが可能となる。
【００３７】
また、上記情報処理装置において、前記コンテンツ記録部は、周囲の環境を示す環境情報を取得する環境取得部と、前記コンテンツ格納部に格納された複数のコンテンツの中から前記環境取得部によって取得された環境情報に基づいてコンテンツを抽出するコンテンツ抽出部と、前記コンテンツ抽出部によって抽出されたコンテンツを前記携帯端末の記録媒体に記録する記録部を含むことが望ましい。
【００３８】
また、上記コンテンツ記録方法において、前記コンテンツ記録ステップは、周囲の環境を示す環境情報を取得する環境取得ステップと、前記コンテンツ格納部に格納された複数のコンテンツの中から前記環境取得ステップで取得された環境情報に基づいてコンテンツを抽出するコンテンツ抽出ステップと、前記コンテンツ抽出ステップで抽出されたコンテンツを前記携帯端末の記録媒体に記録する記録ステップとを含むことが望ましい。
【００３９】
上記の発明によれば、上記の効果に加えて、周囲の環境の変化に応じて携帯端末の記録媒体に記録されるコンテンツを変更したいというユーザの細かいコンテンツ格納要求に応えることが可能となる。
【００４０】
また、上記情報処理装置において、前記コンテンツ記録部は、前記携帯端末の記録媒体に予め記録されているコンテンツの種類を検出する種類検出部と、前記コンテンツ格納部に格納された複数のコンテンツの中から前記種類検出部によって検出された種類に基づいてコンテンツを抽出するコンテンツ抽出部と、前記コンテンツ抽出部によって抽出されたコンテンツを前記携帯端末の記録媒体に記録する記録部とを含むことが望ましい。
【００４１】
また、上記コンテンツ記録方法において、前記コンテンツ記録ステップは、前記携帯端末の記録媒体に予め記録されているコンテンツの種類を検出する種類検出ステップと、前記コンテンツ格納部に格納された複数のコンテンツの中から前記種類検出ステップで検出された種類に基づいてコンテンツを抽出するコンテンツ抽出ステップと、前記コンテンツ抽出ステップで抽出されたコンテンツを前記携帯端末の記録媒体に記録する記録ステップとを含むことが望ましい。
【００４２】
上記の発明によれば、上記の効果に加えて、例えば、携帯端末の記録媒体に予め記録されているコンテンツの種類を維持しながら、携帯端末の記録媒体に記録するコンテンツを変化させたいというユーザの細かいコンテンツ格納要求に応えることが可能となる。
【００４３】
また、本発明のプログラムは、コンテンツ格納部に格納された複数種類のコンテンツの一部を記録部によって携帯端末の記録媒体に記録させるコンテンツ記録処理をコンピュータに実行させるプログラムであって、ユーザにより設定された、前記記録媒体に記録するコンテンツの量、および、コンテンツの各種類毎の割合を示すコンテンツ抽出条件を抽出条件格納部に格納する抽出条件格納処理と、前記抽出条件格納部に格納されたコンテンツ抽出条件に合うように、前記コンテンツ格納部に格納された複数のコンテンツの中からコンテンツを抽出するコンテンツ抽出処理と、前記記録部に前記コンテンツ抽出処理によって抽出されたコンテンツを前記携帯端末の記録媒体に記録させる記録処理と、を含むコンテンツ記録処理をコンピュータに実行させる。
【００４４】
また、本発明のプログラムは、コンテンツ格納部に格納された複数のコンテンツの一部を記録部によって携帯端末の記録媒体に記録させるコンテンツ記録処理をコンピュータに実行させるプログラムであって、環境取得部に周囲の環境を示す環境情報を取得させる環境取得処理と、前記コンテンツ格納部に格納された複数のコンテンツの中から前記環境取得処理によって取得された環境情報に基づいてコンテンツを抽出するコンテンツ抽出処理と、前記記録部に前記コンテンツ抽出処理によって抽出されたコンテンツを前記携帯端末の記録媒体に記録させる記録処理と、を含むコンテンツ記録処理をコンピュータに実行させる。
【００４５】
また、本発明のプログラムは、コンテンツ格納部に格納された複数のコンテンツの一部を記録部によって携帯端末の記録媒体に記録させるコンテンツ記録処理をコンピュータに実行させるプログラムであって、前記携帯端末の記録媒体に予め記録されているコンテンツの種類を種類検出部に検出させる種類検出処理と、前記コンテンツ格納部に格納された複数のコンテンツの中から前記種類検出処理によって検出された種類に基づいてコンテンツを抽出するコンテンツ抽出処理と、前記記録部に前記コンテンツ抽出処理によって抽出されたコンテンツを前記携帯端末の記録媒体に記録させる記録処理と、を含むコンテンツ記録処理をコンピュータに実行させる。
【００４６】
また、本発明のプログラムは、コンテンツ格納部に格納された複数のコンテンツの一部を記録部によって携帯端末の記録媒体に記録させるコンテンツ記録処理をコンピュータに実行させるプログラムであって、ユーザにより設定されたコンテンツ削除条件を削除条件格納部に格納する削除条件格納処理と、削除部に前記携帯端末の記録媒体に予め記録されているコンテンツの中から前記削除条件格納部に格納されたコンテンツ削除条件に基づいてコンテンツを削除させるコンテンツ削除部と、前記記録部に前記コンテンツ削除処理によってコンテンツが削除された携帯端末の記録媒体に前記コンテンツ格納部に格納された複数のコンテンツの一部を記録させるコンテンツ記録処理とを含むコンテンツ記録処理をコンピュータに実行させる。
【００４７】
また、本発明の記録媒体は、上記プログラムが記録されたコンピュータによって読み取り可能な記録媒体である。
【００４８】
上記の発明によれば、上記コンテンツ記録方法をコンピュータに実行させることが可能となる。
【発明の効果】
【００４９】
本発明によれば、ユーザの希望に合ったコンテンツが携帯端末の記録媒体に記録されるため、ユーザは携帯端末を用いることによって自らの希望に合ったコンテンツを容易に視聴することが可能となる。
【００５０】
また、例えば、周囲の環境または過去に携帯端末の記録媒体に記録したコンテンツの視聴状態に基づいて、携帯端末の記録媒体に記録されるコンテンツが選択されるため、携帯端末の記録媒体にコンテンツを記録する際にユーザが意識していなかった視聴希望コンテンツが携帯端末の記録媒体へ記録される。よって、ユーザは、新鮮な気分でコンテンツを視聴することができる。
【発明を実施するための最良の形態】
【００５１】
以下、本発明の一実施例を図面を参照して説明する。
【００５２】
図１は、本発明の一実施例の情報処理装置を示したブロック図である。
【００５３】
図１において、情報処理装置としてのコンテンツ転送管理装置１は、例えば、ＰＣまたはコンテンツ記録専用装置であり、コンテンツ格納部としてのホームサーバ装置２に格納された複数のコンテンツの一部を携帯端末３の記録媒体としてのメモリカード４に記録する。コンテンツ転送管理装置１は、メモリカード接続部１ａと、ネットワーク接続部１ｂと、ユーザインターフェイス部１ｃおよび制御部１ｄとを含む。制御部１ｄは、ＣＰＵ１ｄａとメモリ１ｄｂとを含む。
【００５４】
ＨＤＤ（Hard Disk Drive）レコーダーまたはＰＣなどのホームサーバ装置２は、コンピュータによって読み取り可能な記録媒体であるメモリ２ａを有する。メモリ２ａは、音楽または映像などの複数のコンテンツと、これら複数のコンテンツのそれぞれの関連情報とを格納する。
【００５５】
本実施例では、メモリ２ａは、コンテンツとそのコンテンツ名とそのコンテンツのジャンルとそのコンテンツの時間（長さ）およびそのコンテンツの特性情報（種類）とを関連づけて格納する。なお、本実施例では、コンテンツの名称（コンテンツ名）とそのコンテンツのジャンルとそのコンテンツの時間（長さ）およびそのコンテンツの特性情報とが、そのコンテンツの関連情報である。
【００５６】
コンテンツの特性情報は、例えば、コンテンツが音楽の場合、音楽のテンポ、音楽のにぎやかさ、音楽の重低音度、音楽の聴取回数、歌手の性別またはその歌手の人数を示し、また、コンテンツが写真の場合、写真に写っている人とユーザとの親密度の程度または写真の明るさを示す。
【００５７】
本実施例では、コンテンツの特性情報を数値化して利用する。例えばコンテンツが音楽の場合、テンポ（１分間あたりのビート数（Beats Per Minute））を抽出することで音楽のにぎやかさを数値化して表現できる。
【００５８】
また、フーリエ変換を行い周波数帯域ごとの成分を調べることで低音域を多く含まれるのかどうか（重低音度）を数値化することができる。また、コンテンツ（音楽）の聴取回数を記録しておくことでそのコンテンツ（音楽）がよく聞かれている曲なのかどうかを数値で表現できる。また、歌手の性別またはその歌手の人数も数値としておくことで、歌手の性別または歌手の人数による分類が可能となる。
【００５９】
また、コンテンツが写真の場合、写真に写っている人とユーザとの親密度の程度を示す数値をユーザが入力しておくことで親密度についての分類が可能となる。また、写真を画像解析しその写真の輝度を調べ、調べた輝度を数値化することによって写真を明るさによって分類することが可能となる。
【００６０】
なお、コンテンツの特性情報は、上記に限るものではなく適宜変更可である。
【００６１】
図２は、メモリ２ａに格納された情報の一例を示した説明図である。図２において、メモリ２ａは、コンテンツ名２ａ１と、そのコンテンツ名２ａ１によって特定されるコンテンツ２ａ２と、そのコンテンツ２ａ２のジャンル２ａ３と、そのコンテンツの時間（長さ）２ａ４と、そのコンテンツ２ａ２の特性情報２ａ５とをコンテンツ名ごとに関連づけて格納する。
【００６２】
図２に示した例では、例えば、コンテンツ名「Ａ」２ａ１と、コンテンツ名「Ａ」によって特定されるコンテンツ「××××」２ａ２と、コンテンツ「××××」２ａ２のジャンル「ｄ」２ａ３と、コンテンツ「××××」２ａ２の時間（長さ）「１０分」２ａ４と、コンテンツ「××××」２ａ２の特性情報「３０」２ａ５とが関連づけられてメモリ２ａに格納されている。
【００６３】
携帯端末３は、メモリカード４を着脱することができる。携帯端末３は、メモリカード４が装着された際に、メモリカード４に記録されたコンテンツを再生することが可能である。携帯端末３は、メモリカード４に記録されたコンテンツを再生した際に、そのコンテンツの再生回数をメモリカード４に記録するようにしてもよい。
【００６４】
メモリカード４は、コンテンツ転送管理装置１および携帯端末３によって読み取りおよび書き込み可能な記録媒体である。メモリカード４には、コンテンツ転送管理装置１によってコンテンツが記録される。
【００６５】
コンテンツ転送管理装置１は、メモリカード４にコンテンツを記録する際、そのコンテンツの寿命をメモリカード４に記録する。また、コンテンツ転送管理装置１は、メモリカード４にコンテンツを記録する際、そのコンテンツの記録日をメモリカード４に記録する。また、コンテンツ転送管理装置１は、メモリカード４にコンテンツを記録する際、そのコンテンツに保護設定を付与することによって、保護設定が付与されたコンテンツが消去されることを防ぐ。また、コンテンツ転送管理装置１は、メモリカード４にコンテンツを記録する際、そのコンテンツを抽出するために用いたコンテンツ切り出し条件をメモリカード４に記録する。なお、コンテンツ転送管理装置１（具体的には、ＣＰＵ１ｄａ）は、メモリカード４にコンテンツを記録する際、そのコンテンツを抽出するために用いたコンテンツ切り出し条件をメモリ１ｄｂにも記録する。
【００６６】
図３は、メモリカード４に記録された情報の一例を示した説明図である。図３において、メモリカード４は、コンテンツ名４ａと、そのコンテンツ名４ａによって特定されるコンテンツ４ｂと、そのコンテンツ４ｂの寿命４ｃと、そのコンテンツ４ｂの記録日４ｄと、そのコンテンツ４ｂの保護設定情報４ｅと、そのコンテンツ４ｂの再生回数４ｆとをコンテンツ名ごとに関連づけて格納する。また、メモリカード４は、コンテンツ４ｂを抽出するために用いたコンテンツ切り出し条件４ｇを格納する。
【００６７】
図３に示した例では、例えば、コンテンツ名「Ａ」４ａと、コンテンツ名「Ａ」によって特定されるコンテンツ「××××」４ｂと、コンテンツ「××××」４ｂの寿命「５日」４ｃと、コンテンツ「××××」４ｂの記録日「○月△日」４ｄと、コンテンツ「××××」４ｂの保護設定情報「無」４ｅと、コンテンツ「××××」４ｂの再生回数「３」４ｆとが関連づけられてメモリカード４に格納されている。
【００６８】
図４は、メモリカード４の情報格納例を示した図である。なお、図４では、コンテンツ名４ａと寿命４ｃと記録部４ｄと保護設定４ｅと再生回数４ｆとコンテンツ切り出し条件４ｇとをまとめて管理データ４ｈとして示している。
【００６９】
なお、コンテンツ転送管理装置１によって行われるメモリカード４への記録は、メモリカード接続部１ａによって実行される。
【００７０】
図１に示したメモリカード接続部１ａは、メモリカード４を着脱することができる。
【００７１】
メモリカード接続部１ａは、自己に装着されたメモリカード４に記録されているコンテンツに関する情報をコンテンツ単位で読み取る。なお、メモリカード接続部１ａによって読み取られるコンテンツに関する情報は、例えば、コンテンツ名、コンテンツの寿命、コンテンツの視聴状態（コンテンツの再生回数）、コンテンツの記録日、コンテンツの保護設定情報およびコンテンツ切り出し条件である。
【００７２】
メモリカード接続部１ａは、メモリカード４からコンテンツ単位で読み取ったコンテンツに関する情報を制御部１ｄに供給する。
【００７３】
制御部１ｄは、メモリカード接続部１ａからコンテンツ単位で供給された、コンテンツ名とコンテンツの視聴状態（コンテンツの再生回数）とコンテンツの寿命とコンテンツの記録日とコンテンツの保護設定情報とをメモリカード入れ替え考慮情報としてコンテンツ単位でメモリ１ｄｂに格納する。
【００７４】
ネットワーク接続部１ｂは、インターネット等の外部ネットワーク（通信回線）５と接続する。ネットワーク接続部１ｂは、外部のサーバから外部のネットワーク５を介して周囲の環境情報を取得する。
【００７５】
例えば、ネットワーク接続部１ｂは、外部の送信元から外部のネットワーク５を介して取得した電子メールから、または、外部のサーバから外部のネットワーク５を介して取得したコンテンツから、周囲の環境情報（例えば、気象の情報）を取得する。ネットワーク接続部１ｂは、外部のネットワーク５を介して取得した周囲の環境情報を制御部１ｄに供給する。
【００７６】
ユーザインターフェイス部１ｃは、例えば、操作部および表示部を備え、ユーザからの入力を受け付け、さらにユーザに対して出力を行う。
【００７７】
例えば、ユーザインターフェイス部１ｃは、ユーザによって設定された１つまたは複数のコンテンツ切り出し条件を受け付ける。コンテンツ切り出し条件は、ホームサーバ装置２のメモリ２ａに格納されている複数のコンテンツの中から、ユーザが望むコンテンツを抽出するための抽出条件である。
【００７８】
例えば、ユーザインターフェイス部１ｃは、第１、第２および第３のコンテンツ切り出し条件を受け付ける。なお、ユーザインターフェイス部１ｃが受け付けるコンテンツ切り出し条件は、第１、第２および第３のコンテンツ切り出し条件に限るものではない。
【００７９】
第１のコンテンツ切り出し条件は、メモリカード４に記録するコンテンツの量およびメモリカード４に新たに記録する複数種類のコンテンツ全体に対する該複数種類のコンテンツそれぞれの割合を示したコンテンツ抽出条件に合うように、メモリカード４内のコンテンツを変更するという条件である。
【００８０】
図５は、メモリカード４に新たに記録する複数種類のコンテンツ全体に対する該複数種類のコンテンツそれぞれの割合を示したコンテンツ抽出条件の一例を示した説明図である。図５において、横軸６ａは記憶容量（時間）を示し、縦軸６ｂはコンテンツの特性（種類）情報（図５に示した例では音楽の激しさ（テンポ）の程度）を示す。コンテンツ抽出条件６ｃは、ユーザインターフェイス部１ｃによって受け付けられる。ユーザは、ユーザインターフェイス部１ｃを操作してコンテンツ抽出条件６ｃを自らの好みに合わせて設定することによって、メモリカード４に格納されるコンテンツを選択する。
【００８１】
第２のコンテンツ切り出し条件は、周囲の環境に応じてメモリカード内のコンテンツを変更するという条件である。この第２のコンテンツ切り出し条件は、例えば、周囲の環境として気象情報を用いた場合、天気が悪くなるほど静かな音楽がメモリ２ａから抽出されたり、温度が低くなるほど穏やかな音楽が抽出されたりするようにするための条件である。
【００８２】
図６は、周囲の環境に応じてコンテンツを変更するという条件の一例を示した説明図である。図６において、周囲の環境（天気）７ａとコンテンツの特性（種類）情報７ｂとが関連づけられている。ユーザは、ユーザインターフェイス部１ｃを操作して周囲の環境７ａとコンテンツの特性情報７ｂとの関連づけを自らの好みに合わせて設定することによって、メモリカード４に格納されるコンテンツを選択する。なお、周囲の環境７ａは、天気に限るものでなく、例えば気温でもよい。
【００８３】
第３のコンテンツ切り出し条件は、メモリカード４に記録されているコンテンツ切り出し条件を、コンテンツ切り出し条件として再利用するという条件である。
【００８４】
ユーザインターフェイス部１ｃは、受け付けたコンテンツ切り出し条件を制御部１ｄに供給する。制御部１ｄは、ユーザインターフェイス部１ｃから供給されたコンテンツ切り出し条件をメモリ１ｄｂに格納する。
【００８５】
また、ユーザインターフェイス部１ｃは、複数のコンテンツ切り出し条件の中から実際に使用するコンテンツ切り出し条件を選択する旨のコンテンツ切り出し条件選択情報を受け付ける。
【００８６】
制御部１ｄは、ユーザインターフェイス部１ｃから供給されたコンテンツ切り出し条件選択情報によって特定されたコンテンツ切り出し条件を用いてメモリ２ａからコンテンツを抽出し、その抽出したコンテンツをメモリカード４に記録させる記録処理をメモリカード接続部１ａに実行させる。
【００８７】
また、ユーザインターフェイス部１ｃは、ユーザによって設定された１つまたは複数のメモリカード入れ替え条件を受け付ける。メモリカード入れ替え条件は、メモリカード４がコンテンツ転送管理装置１に装着された際に、メモリカード４に記録されているコンテンツの中から削除するコンテンツを決定するための削除条件である。
【００８８】
例えば、ユーザインターフェイス部１ｃは、第１、第２および第３のメモリカード入れ替え条件を受け付ける。なお、ユーザインターフェイス部１ｃが受け付けるメモリカード入れ替え条件は第１、第２および第３のメモリカード入れ替え条件に限らない。
【００８９】
第１のメモリカード入れ替え条件は、所定日数以上未視聴のコンテンツをメモリカード４から削除するという条件である。
【００９０】
第２のメモリカード入れ替え条件は、有効期限（寿命）を過ぎたコンテンツをメモリカード４から削除するという条件である。なお、この場合、コンテンツ転送管理装置１は、コンテンツをメモリカード４に記録する際に、そのコンテンツの有効期限（寿命）をメモリカード４に記録する。
【００９１】
第３のメモリカード入れ替え条件は、ユーザによって設定された入替率に達するまでメモリカードから記録日の古いコンテンツから削除するという条件である。
【００９２】
ユーザインターフェイス部１ｃは、受け付けたメモリカード入れ替え条件を制御部１ｄに供給する。制御部１ｄは、ユーザインターフェイス部１ｃから供給されたメモリカード入れ替え条件をメモリ１ｄｂに格納する。
【００９３】
また、ユーザインターフェイス部１ｃは、複数のメモリカード入れ替え条件の中から実際に使用するメモリカード入れ替え条件を選択する旨のメモリカード入れ替え条件選択情報を受け付ける。
【００９４】
制御部１ｄは、ユーザインターフェイス部１ｃから供給されたメモリカード入れ替え条件選択情報によって特定されたメモリカード入れ替え条件に基づいてメモリカード４からコンテンツを削除する削除処理をメモリカード接続部１ａに実行させる。
【００９５】
また、ユーザインターフェイス部１ｃは、ユーザによって設定された１つまたは複数の実行タイミング条件を受け付ける。
【００９６】
例えば、ユーザインターフェイス部１ｃは、第１、第２および第３の実行タイミング条件を受け付ける。なお、ユーザインターフェイス部１ｃが受け付ける実行タイミング条件は、第１、第２および第３の実行タイミング条件に限らず適宜変更可能である。
【００９７】
第１の実行タイミング条件は「今すぐ実行」である。第２の実行タイミング条件は「指定時刻（例えば「毎日定時」、「毎週定時」または「特定の日の定時」）に実行」である。第３の実行タイミング条件は「メモリカード挿入時実行」である。
【００９８】
ユーザインターフェイス部１ｃは、受け付けた実行タイミング条件を制御部１ｄに供給する。制御部１ｄは、ユーザインターフェイス部１ｃから供給された実行タイミング条件をメモリ１ｄｂに格納する。
【００９９】
また、ユーザインターフェイス部１ｃは、複数の実行タイミング条件の中から実際に使用する実行タイミング条件を選択する旨の実行タイミング条件選択情報を受け付ける。
【０１００】
制御部１ｄは、ユーザインターフェイス部１ｃから供給された実行タイミング条件選択情報によって特定された実行タイミング条件に基づいたタイミングで、コンテンツの削除処理およびコンテンツの記録処理をメモリカード接続部１ａに実行させる。
【０１０１】
制御部１ｄは、コンピュータとしてのＣＰＵ１ｄａと、コンピュータによって読み取り可能な記録媒体としてのメモリ１ｄｂとを含む。メモリ１ｄｂは、コンテンツ転送管理装置１の動作を規定するプログラムおよび種々の情報を記録している。ＣＰＵ１ｄａは、メモリ１ｄｂに記録されているプログラムを読み込み、読み込んだプログラムを実行することによって、種々の機能を実行する。以下では、ＣＰＵ１ｄａによって実行される機能を制御部１ｄによって実行される機能として説明する。
【０１０２】
図７は、制御部１ｄによって実行される機能の一例を示した機能ブロック図である。図７において、図１に示したものと同一構成のものには同一符号を付してある。図７において、制御部１ｄは、コンテンツ転送条件情報記録部１ｄ１と、コンテンツデータベース１ｄ２と、コンテンツ転送指示部１ｄ３と、コンテンツ形式変換手段１ｄ４とを含む。なお、コンテンツ転送条件情報記録部１ｄ１とコンテンツデータベース１ｄ２とはメモリ１ｄｂに対応し、コンテンツ転送指示部１ｄ３とコンテンツ形式変換手段１ｄ４とはＣＰＵ１ｄａおよびメモリ１ｄｂに対応する。
【０１０３】
コンテンツ転送条件情報記録部１ｄ１は、コンテンツ切り出し条件、メモリカード入れ替え条件および実行タイミング条件を格納する。
【０１０４】
コンテンツデータベース１ｄ２は、コンテンツ転送指示部１ｄ３によってホームサーバ装置２のメモリ２ａから読み出された、メモリ２ａに格納されている複数のコンテンツのそれぞれのコンテンツ名、ジャンル、時間（長さ）および特性情報を格納する。
【０１０５】
図８は、コンテンツデータベース１ｄ２に格納された情報の一例を示した説明図である。図８において、コンテンツデータベース１ｄ２は、コンテンツ名１ｄ２ａと、そのコンテンツ名１ｄ２ａによって特定されるコンテンツのジャンル１ｄ２ｂと、そのコンテンツの時間（長さ）１ｄ２ｃと、そのコンテンツの特性情報１ｄ２ｄとをコンテンツ名ごとに関連づけて格納する。
【０１０６】
図８に示した例では、例えば、コンテンツ名「Ａ」１ｄ２ａと、コンテンツ名「Ａ」によって特定されるコンテンツのジャンル「ｄ」１ｄ２ｂと、このコンテンツの時間（長さ）「１０分」１ｄ２ｃと、このコンテンツの特性情報「３０」１ｄ２ｄとが関連づけられてコンテンツデータベース１ｄ２に格納されている。
【０１０７】
コンテンツ転送指示部１ｄ３は、メモリカード接続部１ａに、メモリカード４に記録されているコンテンツの消去およびメモリカード４へのコンテンツの記録を実行させる。
【０１０８】
例えば、コンテンツ転送指示部１ｄ３は、メモリカード接続部１ａから供給されたメモリカード入れ替え考慮情報（メモリカード４に記録されているコンテンツごとの、コンテンツ名とコンテンツの視聴状態（コンテンツの再生回数）とコンテンツの寿命とコンテンツの記録日とコンテンツの保護設定情報）を受け付ける。
【０１０９】
また、コンテンツ転送指示部１ｄ３は、ユーザインターフェイス部１ｃから供給されたメモリカード入れ替え条件選択情報によって特定されたメモリカード入れ替え条件をコンテンツ転送条件情報記録部１ｄ１から読み出す。
【０１１０】
コンテンツ転送指示部１ｄ３は、その読み出したメモリカード入れ替え条件を満たすメモリカード４内のコンテンツをメモリカード入れ替え考慮情報を参照して検出する。
【０１１１】
コンテンツ転送指示部１ｄ３は、その検出したコンテンツをメモリカード接続部１ａに装着されているメモリカード４から削除する削除処理をメモリカード接続部１ａに実行させる。
【０１１２】
また、コンテンツ転送指示部１ｄ３は、ユーザインターフェイス部１ｃから供給されたコンテンツ切り出し条件選択情報によって特定されたコンテンツ切り出し条件をコンテンツ転送条件情報記録部１ｄ１から読み出す。
【０１１３】
コンテンツ転送指示部１ｄ３は、その読み出したコンテンツ切り出し条件を満たすメモリ２ａ内のコンテンツをコンテンツデータベース１ｄ２に格納されている情報を参照して検出する。
【０１１４】
コンテンツ転送指示部１ｄ３は、その検出したコンテンツをメモリ２ａから読み出し、その読み出したコンテンツをメモリカード接続部１ａに装着されているメモリカード４に記録する記録処理をメモリカード接続部１ａに実行させる。
【０１１５】
なお、コンテンツ転送指示部１ｄ３は、ユーザインターフェイス部１ｃから供給された実行タイミング条件選択情報によって特定された実行タイミング条件に基づいたタイミングで、コンテンツの削除処理およびコンテンツの記録処理をメモリカード接続部１ａに実行させる。
【０１１６】
また、コンテンツ転送指示部１ｄ３は、年月日を含む計時を行う計時部（不図示）を有する。
【０１１７】
コンテンツ形式変換手段１ｄ４は、コンテンツ１ｄ３から供給されたコンテンツの形式を変換する。例えば、コンテンツ形式変換部１ｄ４は、コンテンツ１ｄ３から供給されたコンテンツを再圧縮する。
【０１１８】
次に、動作を説明する。
【０１１９】
まず、ホームサーバ装置２のメモリ２ａにコンテンツを溜め込む動作（コンテンツライブラリ構築動作）を説明する。
【０１２０】
ホームサーバ装置２は、ユーザの操作に基づいて実行される音楽ＣＤからのリッピングあるいはインターネット等の通信回線を利用したダウンロードによって、音楽のコンテンツをメモリ２ａに格納する。また、ホームサーバ装置２は、例えばＨＤＤレコーダ等の映像録画装置を用いて録画されたテレビ番組等の映像のコンテンツをメモリ２ａに格納する。
【０１２１】
ホームサーバ装置２は、図２に示したように、コンテンツとそのコンテンツの関連情報とをコンテンツごとに関連づけてメモリ２ａに格納していく。なお、コンテンツの関連情報は、図２に示したものに限るものではなく適宜変更可能である。
【０１２２】
例えば、ホームサーバ装置２は、コンテンツが音楽の場合、コンテンツの関連情報として、アーティスト名（歌手名）、アルバム名、ジャンル、長さ（時間）、テンポ、ボリューム、スペクトラムアナライズ結果、および、それらの情報に元に「激しい、静か、楽しい、寂しい」といった感覚的な付加情報をメモリ２ａに格納してもよい。
【０１２３】
また、ホームサーバ装置２は、コンテンツが映像の場合、コンテンツの関連情報として、番組名、放送局、録画時間（長さ）、録画時間帯、ジャンル、および、画面の明るさから得られる「明るい、暗い」といった付加情報をメモリ２ａに格納してもよい。
【０１２４】
次に、コンテンツ転送管理装置１がホームサーバ装置２に接続された際の動作を説明する。
【０１２５】
コンテンツ転送管理装置１がホームサーバ装置２に接続され、ＣＰＵ１ｄａがメモリ１ｄｂに記録されているプログラムを実行する旨のユーザからの指示をユーザインターフェイス１ｃが受け付けると、コンテンツ転送指示部１ｄ３は、ホームサーバ装置２のメモリ２ａに格納されているコンテンツの関連情報を読み込み、その読み込んだコンテンツの関連情報をコンテンツデータベース１ｄ２に格納する。
【０１２６】
なお、メモリ２ａに複数のフォルダが存在し、その複数のフォルダの中の１つのフォルダにコンテンツおよびそのコンテンツの関連情報とが格納されている場合、コンテンツ転送指示部１ｄ３は、コンテンツおよびそのコンテンツの関連情報とが格納されているフォルダを指定する旨のユーザからの指示をユーザインターフェイス１ｃが受け付けると、その指示によって指定されたフォルダに格納されているコンテンツの関連情報を読み込み、その読み込んだコンテンツの関連情報をコンテンツデータベース１ｄ２に格納する。
【０１２７】
また、メモリ２ａから読み取ったコンテンツの関連情報の中に付加情報がない場合、コンテンツ転送指示部１ｄ３は、読み取った情報に基づいて自動的に付加情報を作成し、作成した付加情報をコンテンツデータベース１ｄ２に格納する。
【０１２８】
また、ホームサーバ装置２は、複数存在してもよい。どのホームサーバ装置にどのようなコンテンツが含まれるかの情報は、コンテンツデータベース１ｄ２に格納される。
【０１２９】
なお、メモリ１ｄｂに記録されているプログラムに、コンテンツおよびコンテンツの関連情報とが格納されているフォルダが登録され、このプログラムが常駐することにより、メモリ２ａに新たなコンテンツが格納された場合に、コンテンツ転送指示部１ｄ３が、新たなコンテンツの関連情報を自動的にコンテンツデータベース１ｄ２へ登録するようにしてもよい。
【０１３０】
次に、メモリカード４がコンテンツ転送管理装置１に装着された際の動作を説明する。
【０１３１】
携帯端末３で使用可能なメモリカード４が初めてコンテンツ転送管理装置１に装着されると、コンテンツ転送指示部１ｄ３は、メモリカード４内にコンテンツ管理データ（コンテンツ名、寿命、記録日、保護設定、再生回数およびコンテンツ切り出し条件）を格納するフォルダを自動的に作成するフォルダ作成処理をメモリカード接続部１ａに実行させる。
【０１３２】
また、コンテンツ転送指示部１ｄ３は、メモリカード接続部１ａにメモリカード４の空き容量を調べさせ、調べた空き容量をユーザインターフェイス部１ｃに表示させる。ユーザは、ユーザインターフェイス部１ｃの表示を見ることによって、メモリカード４の空き容量を認識する。
【０１３３】
次に、コンテンツ切り出し条件の設定動作について説明する。
【０１３４】
ユーザインターフェイス部１ｃがユーザによって入力されたコンテンツ切り出し条件設定開始指示を受け付けると、コンテンツ転送指示部１ｄ３は、ユーザインターフェイス部１ｃの表示部にコンテンツ切り出し条件の選択を促すコンテンツ切り出し条件選択画面を表示させる。
【０１３５】
図９は、コンテンツ切り出し条件選択画面８の一例を示した説明図である。図９に示したコンテンツ切り出し条件選択画面８は、コンテンツ切り出し条件として、「アーティスト」８１、「ジャンル」８２、「キーワード」８３、「プレイリストカーブ」８４、「天気連動」８５および「メモリと同じで」８６とを含む。
【０１３６】
「アーティスト」８１、「ジャンル」８２または「キーワード」８３が選択されると、コンテンツ転送指示部１ｄ３は、選択された「アーティスト」８１、「ジャンル」８２または「キーワード」８３に該当する情報を、コンテンツデータベース１ｄ２の中のコンテンツ関連情報の中の付加情報等を参照して取得し、取得した情報をユーザインターフェイス部１ｃに表示させる。
【０１３７】
例えば、ユーザは、「アーティスト」８１を選択した際にユーザインターフェイス部１ｃに表示されたアーティスト名の中から複数のアーティストを選択し、それぞれのアーティストについて切り出す比率を指定したプレイリストカーブを作成することもできる。「ジャンル」８２および「キーワード」８３に関しても「アーティスト」８１と同様の設定を行うことが可能である。
【０１３８】
「プレイリストカーブ」８４は、メモリカード４に記録する複数種類のコンテンツ全体に対する該複数種類のコンテンツそれぞれの割合を示したコンテンツ抽出条件に合うように、メモリカード４内のコンテンツを変更するという第１のコンテンツ切り出し条件に対応する。
【０１３９】
「天気連動」８５は、周囲の環境に応じてメモリカード内のコンテンツを変更するという第２のコンテンツ切り出し条件に対応する。
【０１４０】
「メモリと同じで」８６は、メモリカード４に記録されているコンテンツの種類の割合を維持しながらメモリカード内のコンテンツを変更するという第３のコンテンツ切り出し条件に対応する。
【０１４１】
ユーザは、ユーザインターフェイス部１ｃを操作して、いずれかのコンテンツ切り出し条件を選択する。コンテンツ転送指示部１ｄ３は、ユーザインターフェイス部１ｃがユーザによるコンテンツ切り出し条件の選択を受け付けると、コンテンツ切り出し条件選択画面８においてその選択されたコンテンツ切り出し条件に対応して配置された選択欄８７の表示を反転させる（図９では、「プレイリストカーブ」８４に対応して配置された選択欄８７の表示が反転している。）。この状態で、ユーザインターフェイス部１ｃがユーザによる実行の入力を受け付けると、コンテンツ転送指示部１ｄ３は、反転表示の選択欄８７に対応するコンテンツ切り出し条件の詳細の設定を促すコンテンツ切り出し条件詳細設定画面をユーザインターフェイス部１ｃの表示部に表示させる。
【０１４２】
本実施例では、「プレイリストカーブ」８４が選択された場合と、「天気連動」８５が選択された場合および「メモリと同じで」８６が選択された場合を説明する。
【０１４３】
図１０は、「プレイリストカーブ」８４が選択された場合に表示されるコンテンツ切り出し条件詳細設定画面９の一例を示した説明図である。
【０１４４】
図１０において、コンテンツ切り出し条件詳細設定画面９は、コンテンツ抽出条件設定領域９ａと、縦軸要素選択領域９ｂと、容量指定領域９ｃと、音質（画質）選択領域９ｄとを含む。
【０１４５】
コンテンツ抽出条件設定領域９ａは、メモリカード４に新たに記録する複数種類のコンテンツ全体に対する該複数種類のコンテンツそれぞれの割合を示したコンテンツ抽出条件がユーザによって作成される領域である。なお、図５は、コンテンツ抽出条件設定領域９ａにおいて、コンテンツ抽出条件が作成された状態を示した図である。
【０１４６】
縦軸要素選択領域９ｂは、コンテンツ抽出条件設定領域９ａ中の縦軸要素（コンテンツの種類）をユーザに選択させる領域である。なお、縦軸要素の選択肢は、コンテンツデータベース１ｄ２の特性情報１ｄ２ｄに対応する。例えば、コンテンツデータベース１ｄ２の特性情報１ｄ２ｄとして、テンポ、にぎやかさ、重低音、女性・男性アーティストおよびグループ・ソロが設定されている場合、縦軸要素の選択肢は、図１０に示したようになる。
【０１４７】
容量指定領域９ｃは、メモリカード４に新規に記録するコンテンツの容量をユーザに設定させる領域である。なお、メモリカード４に新規に記録するコンテンツの容量は、任意に指定可能であり、また、メモリカード４から取得されてもよい。
【０１４８】
音質（画質）選択領域９ｄは、メモリカード４に記録するコンテンツの音質または画質をユーザに設定させる領域である。音質（画質）選択領域９ｄにおいて音質または画質が設定されることによって、コンテンツの容量（例えばコンテンツの時間）とメモリカードの容量との関係が明確になる。なお、図７に示したコンテンツ形式変換手段１ｄ４は、音質（画質）選択領域９ｄに設定された音質（画質）に応じてコンテンツの圧縮を行う。
【０１４９】
図１１は、「天気連動」８５が選択された場合に表示されるコンテンツ切り出し条件詳細設定画面１０の一例を示した説明図である。なお、図１１において、図１０に示したものと同一のものには同一符号を付してある。
【０１５０】
図１１において、コンテンツ切り出し条件詳細設定画面１０は、お天気サーバ設定領域１０ａと、天気コンテンツ特性設定領域１０ｂと、容量指定領域９ｃと、音質（画質）選択領域９ｄとを含む。
【０１５１】
お天気サーバ設定領域１０ａは、天気情報を提供しているサーバがユーザによって選択される領域である。なお、天気情報を提供しているサーバは、外部ネットワーク５を介してネットワーク接続部１ｂと接続される。
【０１５２】
天気コンテンツ特性設定領域１０ｂは、晴れ１０ｂ１に関連づけるコンテンツを設定するための晴れコンテンツ条件設定部１０ｂ５と、曇り１０ｂ２に関連づけるコンテンツを設定するための曇りコンテンツ条件設定部１０ｂ６と、雨１０ｂ３に関連づけるコンテンツを設定するための雨コンテンツ条件設定部１０ｂ７と、雪１０ｂ４に関連づけるコンテンツを設定するための雪コンテンツ条件設定部１０ｂ８と、コンテンツ条件を示したコンテンツ条件表示部１０ｂ９とを含む。
【０１５３】
ユーザは、ユーザインターフェイス部１ｃを操作して、コンテンツ条件表示部１０ｂ９に表示されているコンテンツ条件を、晴れコンテンツ条件設定部１０ｂ５と曇りコンテンツ条件設定部１０ｂ６と雨コンテンツ条件設定部１０ｂ７と雪コンテンツ条件設定部１０ｂ８とに任意に割り振る。
【０１５４】
図９において、「メモリと同じで」８６がユーザによって選択された場合、コンテンツ転送指示部１ｄ３は、コンテンツ切り出し条件として、前回使用されたコンテンツ切り出し条件を再度利用する。
【０１５５】
メモリカード４には、前回のコンテンツ記録の際に使用されたコンテンツ切り出し条件が記録されているので（図３参照）、「メモリと同じで」８６が選択された場合、コンテンツ転送指示部１ｄ３は、メモリカード４に記録されている前回のコンテンツ切り出し条件４ｇを読み出して再利用する。
【０１５６】
なお、メモリ１ｄｂにも前回のコンテンツ記録の際に使用されたコンテンツ切り出し条件が記録されているので、コンテンツ転送指示部１ｄ３は、メモリ１ｄｂに記録されている前回のコンテンツ切り出し条件４ｇを読み出して再利用してもよい。
【０１５７】
この場合、ユーザは、複数のメモリカードのそれぞれを、お天気に応じてコンテンツが変更するメモリカード、または、だんだんテンポが上がっていくように複数の曲が記録されるメモリカードといったように使い分けることが可能になる。
【０１５８】
なお、各コンテンツ切り出し条件において、コンテンツの切り出し（抽出）に共通の設定を設けるようにしてもよい。例えば、最近数日（例えば７日）以内にメモリカード４に記録したものはメモリカード４に記録しないという設定や、メモリカード４に記録済みのコンテンツはメモリカード４に新たに記録しないという設定や、メモリカード４への記録回数が少ないものから優先的にメモリカード４に記録するという設定をコンテンツの切り出しの共通の設定としてもよい。この場合、コンテンツ転送指示部１ｄ３は、共通の設定に応じてコンテンツを抽出する。
【０１５９】
また、例えば、メモリ２ａに格納されているコンテンツの数が少ない場合、コンテンツ切り出し条件に応じたコンテンツをメモリ２ａから抽出することが困難な場合が生じる可能性がある。この場合、コンテンツ転送指示部１ｄ３はその旨の警告をユーザインターフェイス部１ｃに実行させ、コンテンツ切り出し条件に近いコンテンツをメモリ２ａから抽出するようにしてもよい。
【０１６０】
また、コンテンツ切り出し条件に応じたコンテンツをメモリ２ａから抽出することが困難な場合、コンテンツ転送指示部１ｄ３は、メモリ２ａからのコンテンツの抽出を中止してもよい。なお、メモリカード４に対するコンテンツの入れ替えが自動的に実行される際に、コンテンツ転送指示部１ｄ３がメモリ２ａからのコンテンツの抽出を中止した場合、コンテンツ転送指示部１ｄ３は、動作履歴にコンテンツの抽出中止を書き込む。
【０１６１】
次に、メモリカード入れ替え条件の設定動作について説明する。
【０１６２】
ユーザインターフェイス部１ｃがユーザによって入力されたメモリカード入れ替え条件設定開始指示を受け付けると、コンテンツ転送指示部１ｄ３は、ユーザインターフェイス部１ｃの表示部にメモリカード入れ替え条件の選択を促すメモリカード入れ替え条件選択画面を表示させる。
【０１６３】
図１２は、メモリカード入れ替え条件選択画面１１の一例を示した説明図である。図１２に示したメモリカード入れ替え条件選択画面１１は、コンテンツ寿命設定領域１１ａ、コンテンツ寿命入れ替え設定領域１１ｂ、入替率設定領域１１ｃとを含む。
【０１６４】
コンテンツ寿命設定領域１１ａは、メモリカード４に記録したコンテンツのそれぞれにユーザによって寿命が指定される領域である。寿命がきたコンテンツを含むメモリカード４がメモリカード接続部１ｃに接続されると、コンテンツ転送指示部１ｄ３は、その寿命がきたコンテンツを自動的にメモリカード４から削除する。
【０１６５】
コンテンツ寿命入れ替え設定領域１１ｂは、寿命がきたコンテンツを含むメモリカード４がメモリカード接続部１ｃに接続されるとコンテンツ転送指示部１ｄ３がその寿命がきたコンテンツのみを自動的にメモリカード４から削除するようなメモリカード入れ替え条件がユーザによって設定される領域である。
【０１６６】
入替率設定領域１１ｃは、メモリカード４に既に記録されているコンテンツの入替率がユーザによって設定される領域である。ユーザは、入替率設定領域１１ｃに入替率に設定することによって、メモリカード４に既に記録されているコンテンツの全部を消去するわけではなく、そのうちの何％のコンテンツを入れ替えるかを指定することが可能となる。なお、図１２に示したメモリカード入り替え条件選択画面１１では、コンテンツの削除順序を、コンテンツの日付（記録日）順か、視聴・未視聴かで指定することが可能である。
【０１６７】
次に、実行タイミングの設定動作を説明する。
【０１６８】
ユーザインターフェイス部１ｃがユーザによって入力された実行タイミング設定開始指示を受け付けると、コンテンツ転送指示部１ｄ３は、ユーザインターフェイス部１ｃの表示部に実行タイミングの設定を促す実行タイミングの設定画面を表示させる。
【０１６９】
図１３は、実行タイミングの設定画面１２の一例を示した説明図である。図１３に示した実行タイミングの設定画面１２は、コンテンツ切り出し条件設定領域１２ａと、メモリカード入れ替え条件設定領域１２ｂと、今すぐ実行設定領域１２ｃと、指定時刻に実行設定領域１２ｄと、メモリカード挿入時実行設定領域１２ｅおよび自動実行解除設定領域１２ｆとを含む。
【０１７０】
本実施例では、実行タイミングとして、今すぐ実行（以下「Ａ」と称する。）、指定時刻（例えば「毎日定時」、「毎週定時」または「特定の日の定時」）に実行（以下「Ｂ」と称する。）メモリカード挿入時（以下「Ｃ」と称する。）を設定することが可能である。
【０１７１】
具体的には、ユーザがユーザインターフェイス部１ｃを操作して今すぐ実行設定領域１２ｃを選択すると、実行タイミングとしてＡ（今すぐ実行）が設定される。また、ユーザがユーザインターフェイス部１ｃを操作して指定時刻に実行設定領域１２ｄを選択すると、実行タイミングとしてＢ（指定時刻に実行）が設定される。また、ユーザがユーザインターフェイス部１ｃを操作してメモリカード挿入時実行設定領域１２ｅを選択すると、実行タイミングとしてＣ（メモリカード挿入時に実行）が設定される。
【０１７２】
なお、ユーザがユーザインターフェイス部１ｃを操作して指定時刻に実行設定領域１２ｄを選択すると、コンテンツ転送指示部１ｄ３は、ユーザインターフェイス部１ｃの表示部に実行時刻の設定を促す実行時刻設定画面を表示させる。
【０１７３】
図１４は、実行時刻設定画面１３の一例を示した説明図である。実行時刻設定画面１３は、予約名欄１３ａと実行時刻欄１３ｂとを含む。予約名欄１３ａは、実行時刻の予約名がユーザによって設定される領域である。実行時刻欄１３ｂは、実行時刻がユーザによって設定される領域である。
【０１７４】
また、ユーザがＡまたはＢを設定する際には、ユーザは、ユーザインターフェイス部１ｃを操作して、予め、コンテンツ切り出し条件とメモリカード入れ替え条件のそれぞれをコンテンツ切り出し条件設定領域１２ａとメモリカード入れ替え条件設定領域１２ｂにおいて指定しておく。
【０１７５】
例えば、ユーザが複数のコンテンツ切り出し条件およびメモリカード入れ替え条件のそれぞれに対して名前を付け、コンテンツ転送条件情報記録部１ｄ１が複数のコンテンツ切り出し条件およびメモリカード入れ替え条件のそれぞれをその名前とともに保存する。
【０１７６】
ユーザは、ユーザインターフェイス部１ｃを操作して、複数のコンテンツ切り出し条件の中から所望のコンテンツ切り出し条件を指定するコンテンツ切り出し条件選択情報（例えば、所望のコンテンツ切り出し条件の名前）をコンテンツ切り出し条件設定領域１２ａに設定する。
【０１７７】
さらに、ユーザは、ユーザインターフェイス部１ｃを操作して、複数のメモリカード入れ替え条件の中から所望のメモリカード入れ替え条件を指定するメモリカード入れ替え条件選択情報（例えば、所望のメモリカード入れ替え条件の名前）をメモリカード入れ替え条件設定領域１２ｂに設定する。
【０１７８】
また、Ｃのアクションの指定方法としては、まずメモリカード挿入時に入れ替え動作を自動的に行うか否かという設定が行われ、その設定において、メモリカード挿入時に入れ替え動作を自動的に行うが指定される。続いて、入れ替えをする際に、コンテンツ切り出し条件およびメモリカード入り替え条件としてどのコンテンツ切り出し条件およびメモリカード入り替え条件を使用するのかが指定される。なお、この指定は、コンテンツ切り出し条件選択情報とメモリカード入れ替え条件選択情報とを用いて実行される。
【０１７９】
また、ユーザがユーザインターフェイス部１ｃを操作して、自動実行解除設定領域１２ｆを選択すると、コンテンツ転送指示部１ｄ３は、メモリカード４でのコンテンツの入替を禁止するとともに、実行タイミングの設定画面１２で設定されたコンテンツ切り出し条件およびメモリカード入れ変え条件をメモリカード４に記録する。
【０１８０】
また、コンテンツ切り出し条件で指定された容量の指定は、メモリカード入れ替え条件によって書き換わる。
【０１８１】
上記の設定が終了すると、コンテンツ転送指示部１ｄ３は、ユーザインターフェイス部１ｃから供給された実行タイミング条件選択情報によって特定された実行タイミング条件に基づいたタイミングで、コンテンツの削除処理およびコンテンツの記録処理をメモリカード接続部１ａに実行させる。
【０１８２】
動作の順番としては、メモリカード入れ替え条件から入れ替え容量が計算され、メモリカード４上の入れ替え対象コンテンツが削除され、メモリカード４の容量が確保される。
【０１８３】
その後、コンテンツ切り出し条件に切り出し容量が反映され、コンテンツの抽出および抽出したコンテンツのメモリカード４への記録が実行される。
【０１８４】
図１５は、情報処理装置１、特にはコンテンツ転送指示部１ｄ３のコンテンツ削除動作およびコンテンツ記録動作を説明するためのフローチャートである。以下、図１５を参照して情報処理装置１、特にはコンテンツ転送指示部１ｄ３の動作を説明する。
【０１８５】
なお、以下の説明では、メモリカード入れ替え条件選択情報によって第２のメモリカード入れ替え条件（有効期限（寿命）を過ぎたコンテンツをメモリカード４から削除するという条件）が指定され、コンテンツ切り出し条件選択情報によって第１のコンテンツ切り出し条件（メモリカード４に記録する複数種類のコンテンツ全体に対する該複数種類のコンテンツそれぞれの割合を示したコンテンツ抽出条件に合うように、メモリカード４内のコンテンツを変更するという条件）が指定されているものとする。
【０１８６】
ステップ１３１では、コンテンツ転送指示部１ｄ３は、メモリカード入れ替え条件選択情報によって指定された第２のメモリカード入れ替え条件をコンテンツ転送条件情報記録部１ｄ１から読み出す。
【０１８７】
続いて、ステップ１３２では、コンテンツ転送指示部１ｄ３は、メモリカード接続部１ａに装着されているメモリカード４に記録されているコンテンツに関する情報をコンテンツ単位で読み取る処理をメモリカード接続部１ａに実行させ、メモリカード接続部１ａによってコンテンツ単位で読み取られたコンテンツに関する情報をメモリカード入れ替え考慮情報として受け付ける。
【０１８８】
なお、本実施例では、メモリカード接続部１ａは、メモリカード入れ替え考慮情報として、図３に示した情報の中のコンテンツ名４ａとコンテンツの記録日４ｄとコンテンツの寿命４ｃとコンテンツの視聴状態（コンテンツの再生回数）４ｆとを読み取る。
【０１８９】
続いて、ステップ１３３では、コンテンツ転送指示部１ｄ３は、ステップ１３１で読み取ったメモリカード入れ替え条件を満たすメモリカード４内のコンテンツを、ステップ１３２で読み取ったメモリカード入れ替え考慮情報（コンテンツ名４ａとコンテンツの寿命４ｃとコンテンツの記録日４ｄとコンテンツの視聴状態（コンテンツの再生回数）４ｆ）を参照して検出する。
【０１９０】
例えば、コンテンツ転送指示部１ｄ３は、コンテンツの記録日４ｄにコンテンツの寿命４ｃを加算した日にちが過去の日にちになっているものを検出する。
【０１９１】
続いて、ステップ１３４では、コンテンツ転送指示部１ｄ３は、ステップ１３３で検出したコンテンツをメモリカード４から削除する削除処理をメモリカード接続部１ａに実行させる。
【０１９２】
続いて、ステップ１３５では、コンテンツ転送指示部１ｄ３は、第１のコンテンツ切り出し条件をコンテンツ転送条件情報記録部１ｄ１から読み出す。
【０１９３】
続いて、ステップ１３６では、コンテンツ転送指示部１ｄ３は、ステップ１３５で読み取ったコンテンツ切り出し条件を満たすメモリ２ａ内のコンテンツを、コンテンツデータベース１ｄ２に格納されている情報を参照して抽出する。
【０１９４】
例えば、コンテンツデータベース１ｄ２が、図１６に示すような情報を格納している場合、それぞれのコンテンツ名によって特定される各楽曲は、図１７に示したように、特性情報である激しさの程度（激しさのパラメータ）で分類される。
【０１９５】
例えば、コンテンツ転送指示部１ｄ３は、図１８に示すように、ステップ１３５で読み取ったコンテンツ切り出し条件に合うように、メモリ２ａからコンテンツを選択する。
【０１９６】
続いて、ステップ１３７では、コンテンツ転送指示部１ｄ３は、ステップ１３６で抽出したコンテンツをメモリカード４に記録する記録処理をコンテンツ接続部１ａに実行させる。
【０１９７】
本実施例によれば、メモリカード４に記録する複数種類のコンテンツ全体に対する該複数種類のコンテンツそれぞれの割合を示したコンテンツ抽出条件に合うように、ホームサーバ装置２のメモリ２ａに格納された複数のコンテンツの中から抽出されたコンテンツがメモリカード４に記録される。このため、メモリカード４に記録する複数種類のコンテンツ全体に対する該複数種類のコンテンツそれぞれの割合を設定したいというユーザの細かいコンテンツ格納要求に応えることが可能となる。
【０１９８】
また、メモリカード４に記録されているコンテンツの中からメモリカード入れ替え条件に基づいてコンテンツが選択的に削除され、コンテンツが選択的に削除されたメモリカードにホームサーバ装置２のメモリ２ａに格納された複数のコンテンツの一部が記録される。このため、メモリカード４に新たなコンテンツを記録する際、既にメモリカード４に記録されているコンテンツの中で残しておきたいコンテンツをメモリカード４に残しながら、新たなコンテンツが記録される。
【０１９９】
したがって、メモリカード４に新たなコンテンツを記録する際、既にメモリカードに記録されているコンテンツの中でメモリカード４に残しておきたいコンテンツをメモリカード４に残しながら新たなコンテンツを記録したいというユーザの細かいコンテンツ格納要求に応えることが可能となる。
【０２００】
なお、上記の実施例では、コンテンツ抽出条件に用いるコンテンツの特性情報（図５および図１０の縦軸）として音楽の激しさ（テンポ）を用いたが、このコンテンツの特性情報は音楽の激しさ（テンポ）に限るものではなく適宜変更可能である。
【０２０１】
例えば、コンテンツが音楽の場合、音楽のにぎやかさ、音楽の重低音度、音楽の聴取回数（再生回数）、歌手の性別またはその歌手の人数としてもよく、また、コンテンツが写真の場合、写真に写っている人とユーザとの親密度の程度または写真の明るさとしてもよい。なお、この場合、メモリ２ａに格納されている特性情報２ａ５として、コンテンツ抽出条件に用いるコンテンツの特性情報が格納されていなければならない。
【０２０２】
また、上記の実施例では、コンテンツ切り出し条件として、第１のコンテンツ切り出し条件を用いたが、コンテンツ切り出し条件は適宜変更可能である。
【０２０３】
例えば、コンテンツ切り出し条件として、周囲の環境に応じてコンテンツを変更するという第２のコンテンツ切り出し条件を用いてもよい。この場合、ユーザは、ユーザインターフェイス部１ｃを操作して第２のコンテンツ切り出し条件を指定するコンテンツ切り出し条件選択情報をコンテンツ転送管理装置１に入力する。また、コンテンツ転送指示部１ｄ３は、図１５に示したステップ１３５およびステップ１３６を以下のように実行する。
【０２０４】
ステップ１３５では、コンテンツ転送指示部１ｄ３は、コンテンツ転送条件情報記録部１ｄ１から第２のコンテンツ切り出し条件を読み出す。
【０２０５】
続いて、ステップ１３６では、コンテンツ転送指示部１ｄ３は、ステップ１３５で読み取った第２のコンテンツ切り出し条件を満たすメモリ２ａ内のコンテンツを、外部ネットワーク接続部１ｂが外部のネットワーク５を介して取得した周囲の環境情報に基づいて抽出する。
【０２０６】
例えば、コンテンツ転送指示部１ｄ３は、ステップ１３５で第２のコンテンツ切り出し条件を読み出すと、外部ネットワーク接続部１ｂを、図１１に示したお天気サーバ設定領域１０ａで指定されたお天気サーバに接続させ、さらに、外部ネットワーク接続部１ｂに接続先のお天気サーバから周囲の環境情報としての気象情報、例えば天気情報を取得させる。
【０２０７】
コンテンツ転送指示部１ｄ３は、お天気サーバから取得した天気情報と関連づけてコンテンツ転送条件情報記録部１ｄ１に格納されているコンテンツの特性情報（図６参照）を読み出す。
【０２０８】
コンテンツ転送指示部１ｄ３は、読み出したコンテンツの特性情報に合う特性情報を有するコンテンツをコンテンツデータベース１ｄ２に格納されている情報を参照して抽出する。以下、ステップ１３７にて、コンテンツ転送指示部１ｄ３は、ステップ１３６で抽出したコンテンツをメモリカード４に記録する記録処理をコンテンツ接続部１ａに実行させる。
【０２０９】
コンテンツ切り出し条件として第２の切り出し条件が用いられる場合、メモリ２ａに格納された複数のコンテンツの中から周囲の環境に基づいて抽出されたコンテンツがメモリカード４に記録される。このため、周囲の環境の変化に応じてメモリカード４に記録されるコンテンツを変更したいというユーザの細かいコンテンツ格納要求に応えることが可能となる。
【０２１０】
また、コンテンツ切り出し条件として、メモリカード４に記録されているコンテンツ切り出し条件を再利用するという第３の条件を用いてもよい。この場合、ユーザは、ユーザインターフェイス部１ｃを操作して第３のコンテンツ切り出し条件を指定するコンテンツ切り出し条件選択情報をコンテンツ転送管理装置１に入力する。また、コンテンツ転送指示部１ｄ３は、図１５に示したステップ１３５およびステップ１３６を以下のように実行する。
【０２１１】
ステップ１３５では、コンテンツ転送指示部１ｄ３は、コンテンツ転送条件情報記録部１ｄ１から第３のコンテンツ切り出し条件を読み出す。
【０２１２】
続いて、ステップ１３６では、コンテンツ転送指示部１ｄ３は、ステップ１３５で読み取った第３のコンテンツ切り出し条件を満たすメモリ２ａ内のコンテンツを、メモリカード接続部１ａがメモリカード４から読み取った前回のコンテンツ切り出し条件に基づいて抽出する。
【０２１３】
以下、ステップ１３７にて、コンテンツ転送指示部１ｄ３は、ステップ１３６で抽出したコンテンツをメモリカード４に記録する記録処理をコンテンツ接続部１ａに実行させる。
【０２１４】
コンテンツ切り出し条件として第３の切り出し条件が用いられる場合、メモリ２ａに格納された複数のコンテンツの中からメモリカード４に予め記録されているコンテンツの種類に基づいて抽出されたコンテンツがメモリカード４に記録される。このため、例えば、メモリカード４に予め記録されているコンテンツの種類の割合を維持しながら、メモリカードに記録するコンテンツを変化させたいというユーザの細かいコンテンツ格納要求に応えることが可能となる。なお、メモリカード４に予め記録されているコンテンツの種類は、メモリカード４に予め記録されているコンテンツを抽出するために用いたコンテンツ抽出条件と等しくなる。
【０２１５】
なお、メモリカード４に、メモリカード４に記録されているコンテンツごとの視聴状態（例えば、視聴済みか否か）を示す視聴状態情報が記録されている場合、以下のように動作を実行してもよい。
【０２１６】
コンテンツ転送指示部１ｄ３は、メモリカード４に記録されている視聴状態情報をコンテンツ接続部１ａに検出させる。
【０２１７】
コンテンツ転送指示部１ｄ３は、コンテンツ接続部１ａによって検出された視聴状態情報に基づいて、メモリカード４に記録されていたコンテンツの種類がどのような割合で視聴されたかを算出する。
【０２１８】
コンテンツ転送指示部１ｄ３は、メモリカード４に予め記録されているコンテンツを抽出するために用いた過去のコンテンツ抽出条件を、メモリカード４またはメモリ１ｄｂから取得する。
【０２１９】
コンテンツ転送指示部１ｄ３は、過去のコンテンツ抽出条件と、メモリカード４に記録されていたコンテンツの種類がどのような割合で視聴されたかの算出結果とを比較する。
【０２２０】
コンテンツ転送指示部１ｄ３は、その比較結果に基づいて、実際に視聴されたコンテンツの種類の割合が多くなり、実際に視聴されなかったコンテンツの割合が少なくなるように、過去のコンテンツ抽出条件を変更した新しい第３のコンテンツ切り出し条件を作成する。
【０２２１】
コンテンツ転送指示部１ｄ３は、その新しい第３のコンテンツ切り出し条件を満たすメモリ２ａ内のコンテンツを、メモリカード接続部１ａがメモリカード４から読み取った前回のコンテンツ切り出し条件に基づいて抽出する。
【０２２２】
以下、ステップ１３７にて、コンテンツ転送指示部１ｄ３は、ステップ１３６で抽出したコンテンツをメモリカード４に記録する記録処理をコンテンツ接続部１ａに実行させる。
【０２２３】
また、上記の実施例では、メモリカード入れ替え条件として、第２のメモリカード入れ替え条件を用いたが、メモリカード入れ替え条件は適宜変更可能である。
【０２２４】
例えば、メモリカード入れ替え条件として、所定日数以上未視聴のコンテンツをメモリカードから削除するという第１のメモリカード入れ替え条件を用いてもよい。この場合、ユーザは、ユーザインターフェイス部１ｃを操作して第１のメモリカード入れ替え条件を指定するメモリカード入れ替え条件選択情報をコンテンツ転送管理装置１に入力する。また、コンテンツ転送指示部１ｄ３は、図１５に示したステップ１３１およびステップ１３３を以下のように実行する。
【０２２５】
ステップ１３１では、コンテンツ転送指示部１ｄ３は、メモリカード入れ替え条件選択情報によって指定された第１のメモリカード入れ替え条件をコンテンツ転送条件情報記録部１ｄ１から読み出す。
【０２２６】
続いて、ステップ１３３では、コンテンツ転送指示部１ｄ３は、ステップ１３１で読み取ったメモリカード入れ替え条件を満たすメモリカード４内のコンテンツを、ステップ１３２で読み取ったメモリカード入れ替え考慮情報（コンテンツ名４ａとコンテンツの寿命４ｃとコンテンツの記録日４ｄとコンテンツの視聴状態（コンテンツの再生回数）４ｆ）を参照して検出する。例えば、コンテンツ転送指示部１ｄ３は、コンテンツの記録日４ｄが所定の日数以上前でかつコンテンツの再生回数４ｆが「０」のコンテンツを検出する。
【０２２７】
以下、コンテンツ転送指示部１ｄ３は、ステップ１３４以降の動作を実行する。
【０２２８】
また、例えば、メモリカード入れ替え条件として、ユーザによって設定された入替率に達するまでメモリカード４から記録日の古いコンテンツから削除するという第３のメモリカード入れ替え条件を用いてもよい。この場合、ユーザは、ユーザインターフェイス部１ｃを操作して第３のメモリカード入れ替え条件を指定するメモリカード入れ替え条件選択情報をコンテンツ転送管理装置１に入力する。また、コンテンツ転送指示部１ｄ３は、図１５に示したステップ１３１およびステップ１３３を以下のように実行する。
【０２２９】
ステップ１３１では、コンテンツ転送指示部１ｄ３は、メモリカード入れ替え条件選択情報によって指定された第３のメモリカード入れ替え条件をコンテンツ転送条件情報記録部１ｄ１から読み出す。
【０２３０】
続いて、ステップ１３３では、コンテンツ転送指示部１ｄ３は、ステップ１３１で読み取ったメモリカード入れ替え条件を満たすメモリカード４内のコンテンツを、ステップ１３２で読み取ったメモリカード入れ替え考慮情報（コンテンツ名４ａとコンテンツの寿命４ｃとコンテンツの記録日４ｄとコンテンツの視聴状態（コンテンツの再生回数）４ｆ）を参照して検出する。
【０２３１】
例えば、コンテンツ転送指示部１ｄ３は、ユーザによって設定された入替率に達するまでコンテンツの記録日４ｄの古いコンテンツから順番に検出する。以下、コンテンツ転送指示部１ｄ３は、ステップ１３４以降の動作を実行する。
【０２３２】
以上説明した実施例において、図示した構成は単なる一例であって、本発明はその構成に限定されるものではない。
【図面の簡単な説明】
【０２３３】
【図１】本発明の一実施例の情報処理装置を示したブロック図である。
【図２】メモリ２ａに格納された情報の一例を示した説明図である。
【図３】メモリカード４に格納された情報の一例を示した説明図である。
【図４】メモリカード４に格納された情報の一例を示した説明図である。
【図５】第１のコンテンツ切り出し条件の一例を示した説明図である。
【図６】第２のコンテンツ切り出し条件の一例を示した説明図である。
【図７】図１に示した情報処理装置の一例を示したブロック図である。
【図８】コンテンツデータベース１ｄ２に格納された情報の一例を示した説明図である。
【図９】コンテンツ切り出し条件選択画面の一例を示した説明図である。
【図１０】コンテンツ切り出し条件詳細設定画面の一例を示した説明図である。
【図１１】コンテンツ切り出し条件詳細設定画面の一例を示した説明図である。
【図１２】メモリカード入れ替え条件選択画面の一例を示した説明図である。
【図１３】実行タイミングの設定画面の一例を示した説明図である。
【図１４】実行時刻設定画面の一例を示した説明図である。
【図１５】情報処理装置の動作を説明するためのフローチャートである。
【図１６】コンテンツデータベース１ｅ２に格納された情報の一例を示した説明図である。
【図１７】コンテンツデータベース１ｅ２に格納された情報の一例を示した説明図である。
【図１８】コンテンツ抽出の一例を説明するための説明図である。
【符号の説明】
【０２３４】
１      コンテンツ転送管理装置
１ａ    メモリカード接続部
１ｂ    ネットワーク接続部
１ｃ    ユーザインターフェイス部
１ｄ    制御部
１ｄａ  ＣＰＵ
１ｄｂ  メモリ
１ｄ１  コンテンツ転送条件情報記録部
１ｄ２  コンテンツデータベース
１ｄ３  コンテンツ転送指示部
１ｄ４  コンテンツ形式変換手段
２      ホームサーバ装置
２ａ    メモリ
３      携帯端末
４      メモリカード
５      外部ネットワーク
【図１】
2005285265.tif 000003
【図２】
2005285265.tif 000004
【図３】
2005285265.tif 000005
【図４】
2005285265.tif 000006
【図５】
2005285265.tif 000007
【図６】
2005285265.tif 000008
【図７】
2005285265.tif 000009
【図８】
2005285265.tif 000010
【図９】
2005285265.tif 000011
【図１０】
2005285265.tif 000012
【図１１】
2005285265.tif 000013
【図１２】
2005285265.tif 000014
【図１３】
2005285265.tif 000015
【図１４】
2005285265.tif 000016
【図１５】
2005285265.tif 000017
【図１６】
2005285265.tif 000018
【図１７】
2005285265.tif 000019
【図１８】
2005285265.tif 000020